(57)【要約】【課題】移動局ＵＥが、デタッチ処理を行うことなく、同一の位置登録エリア内のＦＤＤ方式の無線基地局ｅＮＢ配下のセルからＴＤＤ方式の無線基地局ｅＮＢ配下のセルにセル再選択処理を行う。【解決手段】本発明に係る移動通信方法は、移動局ＵＥが、ＴＤＤ方式の無線基地局ｅＮＢ＃２配下のセルへのセル再選択処理を行った後、移動管理ノードＭＭＥに対して「Ｓｅｒｖｉｃｅ  Ｒｅｑｕｅｓｔ」を送信する工程と、移動管理ノードＭＭＥが、ＴＤＤ方式の無線基地局ｅＮＢ＃２に対して「ＦＤＤ  ｕｎｉｑｕｅ  ｐａｒｔ」及び「ＦＧＩ  ｂｉｔ  ｃｏｍｍｏｎ  ｐａｒｔ」を送信する工程と、ＴＤＤ方式の無線基地局ｅＮＢ＃２が、「ＵＥ  Ｉｎｉｔｉａｌ  Ｃｏｎｔｅｘｔ  Ｓｅｔｕｐ  Ｒｅｑｕｅｓｔ」に応じて、移動局ＵＥから「ＴＤＤ  ｕｎｉｑｕｅ  ｐａｒｔ」を取得する工程を有する。【選択図】図５
2013102289.tif 000002
【特許請求の範囲】
【請求項１】
移動通信方法であって、
移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、
ＦＤＤ方式の無線基地局配下のセルにおいて待ち受け状態にある前記移動局が、ＴＤＤ方式の無線基地局配下のセルへのセル再選択処理を行った後、移動管理ノードに対して、サービス要求信号を送信する工程と、
前記移動管理ノードが、前記サービス要求信号に応じて、前記ＴＤＤ方式の無線基地局に対して、前記ＦＤＤ方式に固有の固有部分及び前記共通部分を含む初期コンテキスト設定要求信号を送信する工程と、
前記ＴＤＤ方式の無線基地局が、前記初期コンテキスト設定要求信号に応じて、前記移動局から、前記ＴＤＤ方式に固有の固有部分を取得する工程と、
前記ＴＤＤ方式の無線基地局が、前記移動管理ノードに対して、前記ＴＤＤ方式に固有の固有部分を通知する工程とを有することを特徴とする移動通信方法。
【請求項２】
移動通信方法であって、
移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、
ＴＤＤ方式の無線基地局配下のセルにおいて待ち受け状態にある前記移動局が、ＦＤＤ方式の無線基地局配下のセルへのセル再選択処理を行った後、移動管理ノードに対して、サービス要求信号を送信する工程と、
前記移動管理ノードが、前記サービス要求信号に応じて、前記ＦＤＤ方式の無線基地局に対して、前記ＴＤＤ方式に固有の固有部分及び前記共通部分を含む初期コンテキスト設定要求信号を送信する工程と、
前記ＦＤＤ方式の無線基地局が、前記初期コンテキスト設定要求信号に応じて、前記移動局から、前記ＦＤＤ方式に固有の固有部分を取得する工程と、
前記ＦＤＤ方式の無線基地局が、前記移動管理ノードに対して、前記ＦＤＤ方式に固有の固有部分を通知する工程とを有することを特徴とする移動通信方法。
【発明の詳細な説明】
【技術分野】
【０００１】
本発明は、移動通信方法に関する。
【背景技術】
【０００２】
ＬＴＥ（Ｌｏｎｇ  Ｔｅｒｍ  Ｅｖｏｌｕｔｉｏｎ）方式では、あるリリース（Ｒｅｌｅａｓｅ）に含まれる必須（Ｍａｎｄａｔｏｒｙ）機能は、非常に多く存在するため、あるリリースに対応している移動局ＵＥであっても、一概に全ての必須機能をサポートしているというわけではない。
【０００３】
したがって、ＬＴＥ方式では、あるリリース（例えば、Ｒｅｌｅａｓｅ-８やＲｅｌｅａｓｅ-１０等）において移動局ＵＥによってサポートされている必須機能について示す「ＦＧＩビットセット（Ｆｅａｔｕｒｅ  Ｇｒｏｕｐ  Ｉｎｄｉｃａｔｏｒ、機能グループ指示情報）」が規定されている（非特許文献１参照）。
【０００４】
具体的には、ＦＧＩビットセットは、あるリリースにおける必須機能のグループ毎に移動局ＵＥが対応するか否かについて示すＦＧＩビットの集合である。
【０００５】
また、ＦＩＧビットセットは、「ＵＥ  Ｃａｐａｂｉｌｉｔｙ  Ｉｎｆｏｒｍａｔｉｏｎ」によって、移動局ＵＥから無線アクセスネットワークに対して通知されるように構成されている。
【０００６】
現在、ＬＴＥ方式の仕様策定会議において、ＦＤＤ（Ｆｒｅｑｕｅｎｃｙ  Ｄｉｖｉｓｉｏｎ  Ｄｕｐｌｅｘ）方式におけるＦＧＩビットセット及びＴＤＤ（Ｔｉｍｅ  Ｄｉｖｉｓｉｏｎ  Ｄｕｐｌｅｘ）方式におけるＦＧＩビットセットを区別することなく、共通のシグナリング（例えば、ＲＲＣシグナリング）で制御することが検討されている。
【０００７】
また、ＬＴＥ方式の仕様策定会議において、移動局ＵＥが、接続する無線アクセスネットワークがＦＤＤ方式又はＴＤＤ方式のどちらであるかを判断して、報告するＦＩＧビットセットを変更することが検討されている。
【先行技術文献】
【非特許文献】
【０００８】
【非特許文献１】３ＧＰＰ  ＴＳ３６.３３１  Ａｎｎｅｘ  Ｂ.１/Ｃ.１
【非特許文献２】３ＧＰＰ  ＴＳ２３.４０１
【発明の概要】
【発明が解決しようとする課題】
【０００９】
しかしながら、現在のＬＴＥ方式の仕様では、移動局ＵＥは、「ＵＥ  Ｃａｐａｂｉｌｉｔｙ（ＦＧＩビットセットを含む）」の内容を変更する場合には、デタッチ（Ｄｅｔａｃｈ）処理を行う必要がある。
【００１０】
したがって、ＦＤＤ方式及びＴＤＤ方式の両方に対応している移動通信システムでは、移動局ＵＥは、同一の位置登録エリア内であっても、ＦＤＤ方式の無線基地局ｅＮＢ配下のセルからＴＤＤ方式の無線基地局ｅＮＢ配下のセルにセル再選択処理を行う場合、及び、ＴＤＤ方式の無線基地局ｅＮＢ配下のセルからＦＤＤ方式の無線基地局ｅＮＢ配下のセルにセル再選択処理を行う場合には、「ＵＥ  Ｃａｐａｂｉｌｉｔｙ」の内容（すなわち、ＦＧＩビットセットの内容）を変更することになるため、その都度、デタッチ処理を行う必要があるという問題点があった。
【００１１】
そこで、本発明は、上述の課題に鑑みてなされたものであり、移動局ＵＥが、デタッチ処理を行うことなく、同一の位置登録エリア内のＦＤＤ方式の無線基地局ｅＮＢ配下のセルからＴＤＤ方式の無線基地局ｅＮＢ配下のセルにセル再選択処理を行うことができる移動通信方法を提供することを目的とする。
【００１２】
また、本発明は、移動局ＵＥが、デタッチ処理を行うことなく、同一の位置登録エリア内のＴＤＤ方式の無線基地局ｅＮＢ配下のセルからＦＤＤ方式の無線基地局ｅＮＢ配下のセルにセル再選択処理を行うことができる移動通信方法を提供することを目的とする。
【課題を解決するための手段】
【００１３】
本発明の第１の特徴は、移動通信方法であって、移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、ＦＤＤ方式の無線基地局配下のセルにおいて待ち受け状態にある前記移動局が、ＴＤＤ方式の無線基地局配下のセルへのセル再選択処理を行った後、移動管理ノードに対して、サービス要求信号を送信する工程と、前記移動管理ノードが、前記サービス要求信号に応じて、前記ＴＤＤ方式の無線基地局に対して、前記ＦＤＤ方式に固有の固有部分及び前記共通部分を含む初期コンテキスト設定要求信号を送信する工程と、前記ＴＤＤ方式の無線基地局が、前記初期コンテキスト設定要求信号に応じて、前記移動局から、前記ＴＤＤ方式に固有の固有部分を取得する工程と、前記ＴＤＤ方式の無線基地局が、前記移動管理ノードに対して、前記ＴＤＤ方式に固有の固有部分を通知する工程とを有することを要旨とする。
【００１４】
本発明の第２の特徴は、移動通信方法であって、移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、ＴＤＤ方式の無線基地局配下のセルにおいて待ち受け状態にある前記移動局が、ＦＤＤ方式の無線基地局配下のセルへのセル再選択処理を行った後、移動管理ノードに対して、サービス要求信号を送信する工程と、前記移動管理ノードが、前記サービス要求信号に応じて、前記ＦＤＤ方式の無線基地局に対して、前記ＴＤＤ方式に固有の固有部分及び前記共通部分を含む初期コンテキスト設定要求信号を送信する工程と、前記ＦＤＤ方式の無線基地局が、前記初期コンテキスト設定要求信号に応じて、前記移動局から、前記ＦＤＤ方式に固有の固有部分を取得する工程と、前記ＦＤＤ方式の無線基地局が、前記移動管理ノードに対して、前記ＦＤＤ方式に固有の固有部分を通知する工程とを有することを要旨とする。
【発明の効果】
【００１５】
以上説明したように、本発明によれば、移動局ＵＥが、デタッチ処理を行うことなく、同一の位置登録エリア内のＦＤＤ方式の無線基地局ｅＮＢ配下のセルからＴＤＤ方式の無線基地局ｅＮＢ配下のセルにセル再選択を行うことができる移動通信方法を提供することができる。
【００１６】
また、本発明によれば、移動局ＵＥが、デタッチ処理を行うことなく、同一の位置登録エリア内のＴＤＤ方式の無線基地局ｅＮＢ配下のセルからＦＤＤ方式の無線基地局ｅＮＢ配下のセルにセル再選択を行うことができる移動通信方法を提供することができる。
【図面の簡単な説明】
【００１７】
【図１】本発明の第１の実施形態に係る移動通信システムの全体構成図である。
【図２】本発明の第１の実施形態に係る移動通信システムで用いられるＦＧＩビットセットの一例を示す図である。
【図３】本発明の第１の実施形態に係る移動管理ノードの機能ブロック図である。
【図４】本発明の第１の実施形態に係る無線基地局の機能ブロック図である。
【図５】本発明の第１の実施形態に係る移動通信システムの動作を説明するシーケンス図である。
【図６】本発明の第１の実施形態に係る移動通信システムの動作を説明するシーケンス図である。
【発明を実施するための形態】
【００１８】
（本発明の第１の実施形態に係る移動通信システム）
図１乃至図６を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１９】
図１に示すように、本実施形態に係る移動通信システムは、移動管理ノードＭＭＥ（Ｍｏｂｉｌｉｔｙ  Ｍａｎａｇｅｍｅｎｔ  Ｅｎｔｉｔｙ）と、ＦＤＤ方式の無線基地局ｅＮＢ＃１と、ＴＤＤ方式の無線基地局ｅＮＢ＃２とを具備している。
【００２０】
図２に示すように、本実施形態に係る移動通信システムでは、ＦＧＩビットセットは、「ＦＧＩ  ｂｉｔ  ｃｏｍｍｏｎ  ｐａｒｔ」と、「ＦＤＤ  ｕｎｉｑｕｅ  ｐａｒｔ」又は「ＴＤＤ  ｕｎｉｑｕｅ  ｐａｒｔ」とによって構成されている。
【００２１】
ここで、「ＦＧＩ  ｂｉｔ  ｃｏｍｍｏｎ  ｐａｒｔ」は、ＦＤＤ方式及びＴＤＤ方式で共通する共通部分であり、「ＦＤＤ  ｕｎｉｑｕｅ  ｐａｒｔ」は、ＦＤＤ方式に固有の固有部分であり、「ＴＤＤ  ｕｎｉｑｕｅ  ｐａｒｔ」は、ＴＤＤ方式に固有の固有部分である。
【００２２】
すなわち、ＦＤＤ方式用のＦＧＩビットセットは、「ＦＧＩ  ｂｉｔ  ｃｏｍｍｏｎ  ｐａｒｔ」と「ＦＤＤ  ｕｎｉｑｕｅ  ｐａｒｔ」とによって構成されており、ＴＤＤ方式用のＦＧＩビットセットは、「ＦＧＩ  ｂｉｔ  ｃｏｍｍｏｎ  ｐａｒｔ」と「ＴＤＤ  ｕｎｉｑｕｅ  ｐａｒｔ」とによって構成されている。
【００２３】
なお、「ＦＧＩ  ｂｉｔ  ｃｏｍｍｏｎ  ｐａｒｔ」は、移動局ＵＥの能力全てを考慮して設定されているものではないため、「ＦＧＩ  ｂｉｔ  ｃｏｍｍｏｎ  ｐａｒｔ」のみを用いた場合、移動局ＵＥの能力を最大限に活用した通信を行うことができない。
【００２４】
また、ＦＤＤ方式の無線基地局ｅＮＢ＃１（ＦＤＤ方式のネットワーク）及びＴＤＤ方式の無線基地局ｅＮＢ＃２（ＴＤＤ方式のネットワーク）は、「ＦＧＩ  ｂｉｔ  ｃｏｍｍｏｎ  ｐａｒｔ」と「ＦＤＤ  ｕｎｉｑｕｅ  ｐａｒｔ/ＴＤＤ  ｕｎｉｑｕｅ  ｐａｒｔ」とを区別することができるように構成されている。
【００２５】
図３に示すように、移動局ＵＥは、管理部１１と、受信部１２と、送信部１３とを具備している。
【００２６】
管理部１１は、移動局ＵＥのＦＧＩビットセットを管理するように構成されている。具体的には、管理部１１は、移動局ＵＥのＦＧＩビットセットとして、移動局ＵＥの「ＦＧＩ  ｂｉｔ  ｃｏｍｍｏｎ  ｐａｒｔ」と「ＦＧＩ  ｂｉｔ  ｃｏｍｍｏｎ  ｐａｒｔ」と「ＴＤＤ  ｕｎｉｑｕｅ  ｐａｒｔ」とを区別して管理するように構成されている。
【００２７】
受信部１２は、無線基地局ｅＮＢ＃１/ｅＮＢ＃２や移動管理ノードＭＭＥから各種信号（例えば、図５及び図６に示す信号）を受信するように構成されている。
【００２８】
送信部１３は、無線基地局ｅＮＢ＃１/ｅＮＢ＃２や移動管理ノードＭＭＥに対して各種信号（例えば、図５及び図６に示す信号）を送信するように構成されている。
【００２９】
図４に示すように、無線基地局ｅＮＢ＃１/ｅＮＢ＃２は、受信部２１と、判定部２２と、送信部２３とを具備している。
【００３０】
受信部２１は、移動局ＵＥや移動管理ノードＭＭＥから各種信号を受信するように構成されている。
【００３１】
例えば、受信部２１は、移動管理ノードＭＭＥから、「ＵＥ  Ｉｎｉｔｉａｌ  Ｃｏｎｔｅｘｔ  Ｓｅｔｕｐ  Ｒｅｑｕｅｓｔ」を受信するように構成されている。
【００３２】
また、受信部２１は、移動局ＵＥから、「ＦＤＤ  ｕｎｉｑｕｅ  ｐａｒｔ」又は「ＴＤＤ  ｕｎｉｑｕｅ  ｐａｒｔ」を含む「ＦＤＤ  ＵＥ  Ｃａｐａｂｉｌｉｔｙ」又は「ＴＤＤ  ＵＥ  Ｃａｐａｂｉｌｉｔｙ」を通知するための「ＵＥ  Ｃａｐａｂｉｌｉｔｙ  Ｉｎｆｏｒｍａｔｉｏｎ」を受信するように構成されている。
【００３３】
判定部２２は、受信部２１によって受信された「ＵＥ  Ｉｎｉｔｉａｌ  Ｃｏｎｔｅｘｔ  Ｓｅｔｕｐ  Ｒｅｑｕｅｓｔ」に含まれる「ＦＤＤ  ｕｎｉｑｕｅ  ｐａｒｔ」又は「ＴＤＤ  ｕｎｉｑｕｅ  ｐａｒｔ」に基づいて、移動局ＵＥが、無線基地局ｅＮＢ＃１/ｅＮＢ＃２と異なる方式のセルからセル再選択処理を行ったか否かについて、すなわち、移動局ＵＥから「ＴＤＤ  ｕｎｉｑｕｅ  ｐａｒｔ」又は「ＦＤＤ  ｕｎｉｑｕｅ  ｐａｒｔ」を取得する必要があるか否かについて判定するように構成されている。
【００３４】
送信部２３は、移動局ＵＥや移動管理ノードＭＭＥに対して各種信号を送信するように構成されている。
【００３５】
例えば、送信部２３は、判定部２２によって移動局ＵＥから「ＴＤＤ  ｕｎｉｑｕｅ  ｐａｒｔ」又は「ＦＤＤ  ｕｎｉｑｕｅ  ｐａｒｔ」を取得する必要があると判定された場合には、移動局ＵＥに対して、「ＴＤＤ  ｕｎｉｑｕｅ  ｐａｒｔ」又は「ＦＤＤ  ｕｎｉｑｕｅ  ｐａｒｔ」を要求する「ＵＥ  Ｃａｐａｂｉｌｉｔｙ  Ｒｅｑｕｅｓｔ（移動局ＵＥの能力要求信号）」を送信するように構成されている。
【００３６】
以下、図５及び図６を参照して、本実施形態に係る移動通信システムの動作について説明する。
【００３７】
第１に、図５を参照して、本実施形態に係る移動通信システムにおいて、ＦＤＤ方式の無線基地局ｅＮＢ＃１配下のセルにおいて待ち受け状態（Ｉｄｌｅ  ｓｔａｔｅ）にある移動局ＵＥが、ＴＤＤ方式の無線基地局ｅＮＢ＃２配下のセルへのセル再選択処理を行った場合の動作について説明する。
【００３８】
図５に示すように、ステップＳ１００１において、ＦＤＤ方式の無線基地局ｅＮＢ＃１配下のセル（ＦＤＤネットワーク）において待ち受け状態にある移動局ＵＥが、ステップＳ１００２において、ＴＤＤ方式の無線基地局ｅＮＢ＃２配下のセル（ＴＤＤネットワーク）へのセル再選択処理を行う。
【００３９】
なお、かかる状態では、移動管理ノードＭＭＥは、まだ、移動局ＵＥの「ＵＥ  Ｃａｐａｂｉｌｉｔｙ」として「ＦＤＤ  ＵＥ  Ｃａｐａｂｉｌｉｔｙ（ＦＤＤ方式用の移動局ＵＥの能力情報）」を保持している。
【００４０】
その後、移動局ＵＥは、ＴＤＤ方式の無線基地局ｅＮＢ＃２配下のセルにおいて接続状態（ＲＲＣ  Ｃｏｎｎｅｃｔｅｄ  ｓｔａｔｅ）に遷移する必要が生じた場合に、ステップＳ１００４において、移動管理ノードＭＭＥに対して、「Ｓｅｒｖｉｃｅ  Ｒｅｑｕｅｓｔ（サービス要求信号）」を送信する。
【００４１】
ステップＳ１００５において、移動管理ノードＭＭＥは、無線基地局ｅＮＢ＃２に対して、「Ｂｅａｒｅｒ  Ｓｅｔｕｐ情報（ベアラ設定情報）」を含む「ＵＥ  Ｉｎｉｔｉａｌ  Ｃｏｎｔｅｘｔ  Ｓｅｔｕｐ  Ｒｅｑｕｅｓｔ（初期コンテキスト設定要求信号）」を送信する。
【００４２】
ここで、「ＵＥ  Ｉｎｉｔｉａｌ  Ｃｏｎｔｅｘｔ  Ｓｅｔｕｐ  Ｒｅｑｕｅｓｔ」は、移動局ＵＥの「ＵＥ  Ｒａｄｉｏ  Ｃａｐａｂｉｌｉｔｙ」を通知する。
【００４３】
なお、「ＵＥ  Ｉｎｉｔｉａｌ  Ｃｏｎｔｅｘｔ  Ｓｅｔｕｐ  Ｒｅｑｕｅｓｔ」に含まれる「ＵＥ  Ｒａｄｉｏ  Ｃａｐａｂｉｌｉｔｙ」は、前回のＡｔｔａｃｈ手順において移動局ＵＥから移動管理ノードＭＭＥに対して通知され、移動管理ノードＭＭＥにおいて保持されている「ＵＥ  Ｃａｐａｂｉｌｉｔｙ（ＦＧＩビットセットを含む）情報」である。初回のＡｔｔａｃｈ手順では、移動管理ノードＭＭＥは、かかる「ＵＥ  Ｒａｄｉｏ  Ｃａｐａｂｉｌｉｔｙ」を保持しない。
【００４４】
また、かかる「ＵＥ  Ｉｎｉｔｉａｌ  Ｃｏｎｔｅｘｔ  Ｓｅｔｕｐ  Ｒｅｑｕｅｓｔ」は、「ＦＤＤ  ｕｎｉｑｕｅ  ｐａｒｔ」及び「ＦＧＩ  ｂｉｔ  ｃｏｍｍｏｎ  ｐａｒｔ」を通知する。
【００４５】
無線基地局ｅＮＢ＃２は、ステップＳ１００６において、通知された「ＦＤＤ  ｕｎｉｑｕｅ  ｐａｒｔ」が、自身が対応するＴＤＤ方式に固有の固有部分ではないと判定し、ステップＳ１００７において、移動局ＵＥに対して、「ＴＤＤ  ｕｎｉｑｕｅ  ｐａｒｔ」を含む「ＴＤＤ  ＵＥ  Ｃａｐａｂｉｌｉｔｙ（ＴＤＤ方式用の移動局ＵＥの能力情報）」を要求する「ＵＥ  Ｃａｐａｂｉｌｉｔｙ  Ｒｅｑｕｅｓｔ」を送信する。
【００４６】
ステップＳ１００８において、移動局ＵＥは、無線基地局ｅＮＢ＃２に対して、「ＴＤＤ  ｕｎｉｑｕｅ  ｐａｒｔ」を含む「ＴＤＤ  ＵＥ  Ｃａｐａｂｉｌｉｔｙ」を通知するための「ＵＥ  Ｃａｐａｂｉｌｉｔｙ  Ｉｎｆｏｒｍａｔｉｏｎ」を送信する。
【００４７】
ここで、「ＴＤＤ  ＵＥ  Ｃａｐａｂｉｌｉｔｙ」には、「ＦＧＩ  ｂｉｔ  ｃｏｍｍｏｎ  ｐａｒｔ」が含まれていてもよい。
【００４８】
ステップＳ１００９において、無線基地局ｅＮＢ＃２は、移動局ＵＥから受信した「ＴＤＤ  ｕｎｉｑｕｅ  ｐａｒｔ」を保持し、移動管理ノードＭＭＥに対して、「ＴＤＤ  ｕｎｉｑｕｅ  ｐａｒｔ」及び「ＦＧＩ  ｂｉｔ  ｃｏｍｍｏｎ  ｐａｒｔ」を含む「ＴＤＤ  ＵＥ  Ｃａｐａｂｉｌｉｔｙ」を通知するための「ＵＥ  Ｃａｐａｂｉｌｉｔｙ  Ｉｎｆｏ  Ｉｎｄｉｃａｔｉｏｎ」を送信する。
【００４９】
ステップＳ１０１０において、移動管理ノードＭＭＥは、通知された「ＴＤＤ  ＵＥ  Ｃａｐａｂｉｌｉｔｙ」に基づいて、移動局ＵＥの「ＵＥ  Ｃａｐａｂｉｌｉｔｙ」を更新する。
【００５０】
第２に、図６を参照して、本実施形態に係る移動通信システムにおいて、ＴＤＤ方式の無線基地局ｅＮＢ＃２配下のセルにおいて待ち受け状態（Ｉｄｌｅ  ｓｔａｔｅ）にある移動局ＵＥが、ＦＤＤ方式の無線基地局ｅＮＢ＃１配下のセルへのセル再選択処理を行った場合の動作について説明する。
【００５１】
図６に示すように、ステップＳ２００１において、ＴＤＤ方式の無線基地局ｅＮＢ＃２配下のセル（ＴＤＤネットワーク）において待ち受け状態にある移動局ＵＥが、ステップＳ２００２において、ＦＤＤ方式の無線基地局ｅＮＢ＃１配下のセル（ＦＤＤネットワーク）へのセル再選択処理を行う。
【００５２】
なお、かかる状態では、移動管理ノードＭＭＥは、まだ、移動局ＵＥの「ＵＥ  Ｃａｐａｂｉｌｉｔｙ」として「ＴＤＤ  ＵＥ  Ｃａｐａｂｉｌｉｔｙ」を保持している。
【００５３】
その後、移動局ＵＥは、ＦＤＤ方式の無線基地局ｅＮＢ＃１配下のセルにおいて接続状態（ＲＲＣ  Ｃｏｎｎｅｃｔｅｄ  ｓｔａｔｅ）に遷移する必要が生じた場合に、ステップＳ２００４において、移動管理ノードＭＭＥに対して、「Ｓｅｒｖｉｃｅ  Ｒｅｑｕｅｓｔ」を送信する。
【００５４】
ステップＳ２００５において、移動管理ノードＭＭＥは、無線基地局ｅＮＢ＃１に対して、「Ｂｅａｒｅｒ  Ｓｅｔｕｐ情報」を含む「ＵＥ  Ｉｎｉｔｉａｌ  Ｃｏｎｔｅｘｔ  Ｓｅｔｕｐ  Ｒｅｑｕｅｓｔ」を送信する。
【００５５】
ここで、「ＵＥ  Ｉｎｉｔｉａｌ  Ｃｏｎｔｅｘｔ  Ｓｅｔｕｐ  Ｒｅｑｕｅｓｔ」は、移動局ＵＥの「ＵＥ  Ｒａｄｉｏ  Ｃａｐａｂｉｌｉｔｙ」を通知する。
【００５６】
また、かかる「ＵＥ  Ｉｎｉｔｉａｌ  Ｃｏｎｔｅｘｔ  Ｓｅｔｕｐ  Ｒｅｑｕｅｓｔ」は、「ＴＤＤ  ｕｎｉｑｕｅ  ｐａｒｔ」及び「ＦＧＩ  ｂｉｔ  ｃｏｍｍｏｎ  ｐａｒｔ」を通知する。
【００５７】
無線基地局ｅＮＢ＃１は、ステップＳ２００６において、通知された「ＴＤＤ  ｕｎｉｑｕｅ  ｐａｒｔ」が、自身が対応するＦＤＤ方式に固有の固有部分ではないと判定し、ステップＳ２００７において、移動局ＵＥに対して、「ＦＤＤ  ｕｎｉｑｕｅ  ｐａｒｔ」を含む「ＦＤＤ  ＵＥ  Ｃａｐａｂｉｌｉｔｙ」を要求する「ＵＥ  Ｃａｐａｂｉｌｉｔｙ  Ｒｅｑｕｅｓｔ」を送信する。
【００５８】
ステップＳ２００８において、移動局ＵＥは、無線基地局ｅＮＢ＃１に対して、「ＦＤＤ  ｕｎｉｑｕｅ  ｐａｒｔ」を含む「ＦＤＤ  ＵＥ  Ｃａｐａｂｉｌｉｔｙ」を通知するための「ＵＥ  Ｃａｐａｂｉｌｉｔｙ  Ｉｎｆｏｒｍａｔｉｏｎ」を送信する。
【００５９】
ここで、「ＦＤＤ  ＵＥ  Ｃａｐａｂｉｌｉｔｙ」には、「ＦＧＩ  ｂｉｔ  ｃｏｍｍｏｎ  ｐａｒｔ」が含まれていてもよい。
【００６０】
ステップＳ２００９において、無線基地局ｅＮＢ＃１は、移動局ＵＥから受信した「ＦＤＤ  ｕｎｉｑｕｅ  ｐａｒｔ」を保持し、移動管理ノードＭＭＥに対して、「ＦＤＤ  ｕｎｉｑｕｅ  ｐａｒｔ」及び「ＦＧＩ  ｂｉｔ  ｃｏｍｍｏｎ  ｐａｒｔ」を含む「ＦＤＤ  ＵＥ  Ｃａｐａｂｉｌｉｔｙ」を通知するための「ＵＥ  Ｃａｐａｂｉｌｉｔｙ  Ｉｎｆｏ  Ｉｎｄｉｃａｔｉｏｎ」を送信する。
【００６１】
ステップＳ２０１０において、移動管理ノードＭＭＥは、通知された「ＦＤＤ  ＵＥ  Ｃａｐａｂｉｌｉｔｙ」に基づいて、移動局ＵＥの「ＵＥ  Ｃａｐａｂｉｌｉｔｙ」を更新する。
【００６２】
本実施形態に係る移動通信システムによれば、移動局ＵＥの同一の位置登録エリア内の無線基地局ｅＮＢ＃１配下のセルから無線基地局ｅＮＢ＃２配下のセルへのセル選択処理が行われた場合に、その後の最初の「Ｓｅｒｖｉｃｅ  Ｒｅｑｕｅｓｔ手順」において、無線基地局ｅＮＢ＃２が、移動局ＵＥから「ＴＤＤ  ｕｎｉｑｕｅ  ｐａｒｔ」を取得することができるため、移動局ＵＥが、デタッチ処理を行うことなく、同一の位置登録エリア内のＦＤＤ方式の無線基地局ｅＮＢ＃１配下のセルからＴＤＤ方式の無線基地局ｅＮＢ＃２配下のセルにハンドオーバすることができる。
【００６３】
同様に、本実施形態に係る移動通信システムによれば、移動局ＵＥの同一の位置登録エリア内の無線基地局ｅＮＢ＃２配下のセルから無線基地局ｅＮＢ＃１配下のセルへのセル選択処理が行われた場合に、その後の最初の「Ｓｅｒｖｉｃｅ  Ｒｅｑｕｅｓｔ手順」において、無線基地局ｅＮＢ＃１が、移動局ＵＥから「ＦＤＤ  ｕｎｉｑｕｅ  ｐａｒｔ」を取得することができるため、移動局ＵＥが、デタッチ処理を行うことなく、同一の位置登録エリア内のＴＤＤ方式の無線基地局ｅＮＢ＃２配下のセルからＦＤＤ方式の無線基地局ｅＮＢ＃１配下のセルにハンドオーバすることができる。
【００６４】
以上に述べた本実施形態の特徴は、以下のように表現されていてもよい。
【００６５】
本実施形態の第１の特徴は、移動通信方法であって、ＦＧＩビットセット（移動局ＵＥによってサポートされている必須機能について示す機能グループ指示情報）は、「ＦＧＩ  ｂｉｔ  ｃｏｍｍｏｎ  ｐａｒｔ（ＦＤＤ方式及びＴＤＤ方式で共通する共通部分）」と「ＦＤＤ  ｕｎｉｑｕｅ  ｐａｒｔ/ＴＤＤ  ｕｎｉｑｕｅ  ｐａｒｔ（ＦＤＤ方式及びＴＤＤ方式の各々に固有の固有部分）」とによって構成されており、ＦＤＤ方式の無線基地局ｅＮＢ＃１配下のセルにおいて待ち受け状態にある移動局ＵＥが、ＴＤＤ方式の無線基地局ｅＮＢ＃２配下のセルへのセル再選択処理を行った後、移動管理ノードＭＭＥに対して、「Ｓｅｒｖｉｃｅ  Ｒｅｑｕｅｓｔ（サービス要求信号）」を送信する工程と、移動管理ノードＭＭＥが、「Ｓｅｒｖｉｃｅ  Ｒｅｑｕｅｓｔ」に応じて、ＴＤＤ方式の無線基地局ｅＮＢ＃２に対して「ＦＤＤ  ｕｎｉｑｕｅ  ｐａｒｔ」及び「ＦＧＩ  ｂｉｔ  ｃｏｍｍｏｎ  ｐａｒｔ」を含む「ＵＥ  Ｉｎｉｔｉａｌ  Ｃｏｎｔｅｘｔ  Ｓｅｔｕｐ  Ｒｅｑｕｅｓｔ（初期コンテキスト設定要求信号）」を送信する工程と、ＴＤＤ方式の無線基地局ｅＮＢ＃２が、「ＵＥ  Ｉｎｉｔｉａｌ  Ｃｏｎｔｅｘｔ  Ｓｅｔｕｐ  Ｒｅｑｕｅｓｔ」に応じて、移動局ＵＥから「ＴＤＤ  ｕｎｉｑｕｅ  ｐａｒｔ」を取得する工程と、ＴＤＤ方式の無線基地局ｅＮＢ＃２が、移動管理ノードＭＭＥに対して「ＴＤＤ  ｕｎｉｑｕｅ  ｐａｒｔ」を通知する工程とを有することを要旨とする。
【００６６】
本実施形態の第２の特徴は、移動通信方法であって、移動局ＵＥのＦＧＩビットセットは、「ＦＧＩ  ｂｉｔ  ｃｏｍｍｏｎ  ｐａｒｔ」と「ＦＤＤ  ｕｎｉｑｕｅ  ｐａｒｔ/ＴＤＤ  ｕｎｉｑｕｅ  ｐａｒｔ」とによって構成されており、ＴＤＤ方式の無線基地局ｅＮＢ＃２配下のセルにおいて待ち受け状態にある移動局ＵＥが、ＦＤＤ方式の無線基地局ｅＮＢ＃１配下のセルへのセル再選択処理を行った後、移動管理ノードＭＭＥに対して、「Ｓｅｒｖｉｃｅ  Ｒｅｑｕｅｓｔ」を送信する工程と、移動管理ノードＭＭＥが、「Ｓｅｒｖｉｃｅ  Ｒｅｑｕｅｓｔ」に応じて、ＦＤＤ方式の無線基地局ｅＮＢ＃１に対して「ＴＤＤ  ｕｎｉｑｕｅ  ｐａｒｔ」及び「ＦＧＩ  ｂｉｔ  ｃｏｍｍｏｎ  ｐａｒｔ」を含む「ＵＥ  Ｉｎｉｔｉａｌ  Ｃｏｎｔｅｘｔ  Ｓｅｔｕｐ  Ｒｅｑｕｅｓｔ」を送信する工程と、ＦＤＤ方式の無線基地局ｅＮＢ＃１が、「ＵＥ  Ｉｎｉｔｉａｌ  Ｃｏｎｔｅｘｔ  Ｓｅｔｕｐ  Ｒｅｑｕｅｓｔ」に応じて、移動局ＵＥから「ＦＤＤ  ｕｎｉｑｕｅ  ｐａｒｔ」を取得する工程と、ＦＤＤ方式の無線基地局ｅＮＢ＃１が、移動管理ノードＭＭＥに対して「ＦＤＤ  ｕｎｉｑｕｅ  ｐａｒｔ」を通知する工程とを有することを要旨とする。
【００６７】
なお、上述の移動管理ノードＭＭＥや無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００６８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢ＃１/ｅＮＢ＃２や移動局ＵＥ内に設けられていてもよい。また、かかる記憶媒体及びプロセッサは、ディスクリートコンポーネントとして移動管理ノードＭＭＥや無線基地局ｅＮＢ＃１/ｅＮＢ＃２や移動局ＵＥ内に設けられていてもよい。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７１】
ＭＭＥ…移動管理ノード
ＵＥ…移動局
ｅＮＢ＃１、ｅＮＢ＃２…無線基地局
１１…管理部
１２、２１…受信部
１３、２３…送信部
２２…判定部
【図１】
2013102289.tif 000003
【図２】
2013102289.tif 000004
【図３】
2013102289.tif 000005
【図４】
2013102289.tif 000006
【図５】
2013102289.tif 000007
【図６】
2013102289.tif 000008